(57)【要約】【課題】タブ群とケースとを絶縁できる蓄電装置を提供する。【解決手段】負極導電部材２０は、端子接合部を有するとともに、蓋１４の内面に沿って配置される第１板部６１と、第１板部６１から電極組立体１２に向けて延出するとともに、積層方向の他端側から負極タブ群１６を覆い、かつケース本体１３から離間した第２板部６２と、第２板部６２から積層方向の一端側に向けて延出するとともに、負極タブ群１６を電極組立体１２側から覆い、かつ電極接合部６３ａを有する第３板部６３とを備える。内側絶縁部材３５は、蓋側絶縁部３６から電極組立体１２に向けて延出するとともに、積層方向の一端側から負極タブ群１６を覆い、負極タブ群１６とケース本体１３とを絶縁する第１壁部３７を有する。【選択図】図２
2019175689.tif 000002
【特許請求の範囲】
【請求項１】
電極が積層され、かつ前記電極から突出したタブが積層されたタブ群を有する電極組立体と、
前記電極組立体を収容するケース本体、及び前記ケース本体の開口部を閉塞する蓋を有するケースと、
前記電極組立体と電気を授受する電極端子と、
前記タブ群が存在する前記電極組立体のタブ側端面と前記蓋との間に配置され、前記電極端子と接合される端子接合部、及び前記タブ群が接合される電極接合部を有する導電部材と、
前記端子接合部と前記蓋との間に配置され、前記端子接合部と前記蓋とを絶縁する蓋側絶縁部を有する絶縁部材と、
を備え、
前記タブ群は、前記電極の積層方向の一端側で寄せ集められるとともに前記積層方向の他端側に向けて折り曲げられている蓄電装置であって、
前記導電部材は、
前記端子接合部を有するとともに、前記蓋の内面に沿って配置される第１板部と、
前記第１板部から前記電極組立体に向けて延出するとともに、前記積層方向の他端側から前記タブ群を覆い、かつ前記ケース本体から離間した第２板部と、
前記第２板部から前記積層方向の一端側に向けて延出するとともに、前記タブ群を前記電極組立体側から覆い、かつ前記電極接合部を有する第３板部と、を備え、
前記絶縁部材は、前記蓋側絶縁部から前記電極組立体に向けて延出するとともに、前記積層方向の一端側から前記タブ群を覆い、前記タブ群と前記ケース本体とを絶縁するケース側絶縁部を有することを特徴とする蓄電装置。
【請求項２】
前記蓋側絶縁部からの前記ケース側絶縁部の延出方向において、前記ケース側絶縁部の先端部は、前記電極組立体のタブ側端面と前記第３板部の下面との間に位置する請求項１に記載の蓄電装置。
【請求項３】
前記第１板部は、矩形板状であり、
前記端子接合部は、前記第１板部の長手方向の一端部であり、
前記蓋側絶縁部は、前記第１板部の長手方向の他端部と前記蓋との間に配置される請求項１又は請求項２に記載の蓄電装置。
【請求項４】
前記ケース側絶縁部は、前記第１板部の長手方向全体と前記ケース本体との間に配置される請求項１〜請求項３の何れか一項に記載の蓄電装置。
【発明の詳細な説明】
【技術分野】
【０００１】
本発明は、タブ群が電極の積層方向の一端側で寄せ集められるとともに他端側に向けて折り曲げられている蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。二次電池は、シート状の正極電極及び負極電極が絶縁された状態で積層された電極組立体と、電極組立体を収容するケースとを備える。電極組立体は、正極電極の一辺から突出した正極タブが積層された正極タブ群と、負極電極の一辺から突出した負極タブが積層された負極タブ群とを有する。ケースは、有底筒状のケース本体と、ケース本体の開口部を閉塞する蓋とを有する。二次電池は、電極組立体と電気を授受する各極性の電極端子と、同じ極性のタブ群と電極端子とを電気的に接続する各極性の導電部材とを備える。
【０００３】
特許文献１に開示の二次電池では、タブ群は、電極の積層方向の一端側で寄せ集められるとともに積層方向の他端側に向けて折り曲げられている。また、導電部材は、タブ群が存在する電極組立体のタブ側端面と蓋の内面との間に配置される。導電部材は、蓋の内面に沿って配置される第１板部と、第１板部における積層方向の他端側に位置する縁部から電極組立体に向けて延出する第２板部と、第２板部の縁部から積層方向の一端側に向けて延出する第３板部とを備える。第１板部は、電極端子と接合された端子接合部を有する。第２板部は、タブ群を積層方向の他端側から覆う。第３板部は、タブ群を電極組立体側から覆うとともに、タブ群と接合された電極接合部を有する。
【先行技術文献】
【特許文献】
【０００４】
【特許文献１】特開２０１７−００４８４５号公報
【発明の概要】
【発明が解決しようとする課題】
【０００５】
このような二次電池では、積層方向の他端側において、タブ群は、導電部材の第２板部によって覆われているため、ケース本体と接触しない構成となっている。一方、積層方向の一端側では、タブ群とケース本体とが接触し、短絡する虞がある。
【０００６】
本発明は、上記課題を解決するためになされたものであり、その目的は、タブ群とケースとを絶縁できる蓄電装置を提供することにある。
【課題を解決するための手段】
【０００７】
上記問題点を解決するための蓄電装置は、電極が積層され、かつ前記電極から突出したタブが積層されたタブ群を有する電極組立体と、前記電極組立体を収容するケース本体、及び前記ケース本体の開口部を閉塞する蓋を有するケースと、前記電極組立体と電気を授受する電極端子と、前記タブ群が存在する前記電極組立体のタブ側端面と前記蓋との間に配置され、前記電極端子と接合される端子接合部、及び前記タブ群が接合される電極接合部を有する導電部材と、前記端子接合部と前記蓋との間に配置され、前記端子接合部と前記蓋とを絶縁する蓋側絶縁部を有する絶縁部材と、を備え、前記タブ群は、前記電極の積層方向の一端側で寄せ集められるとともに前記積層方向の他端側に向けて折り曲げられている蓄電装置であって、前記導電部材は、前記端子接合部を有するとともに、前記蓋の内面に沿って配置される第１板部と、前記第１板部から前記電極組立体に向けて延出するとともに、前記積層方向の他端側から前記タブ群を覆い、かつ前記ケース本体から離間した第２板部と、前記第２板部から前記積層方向の一端側に向けて延出するとともに、前記タブ群を前記電極組立体側から覆い、かつ前記電極接合部を有する第３板部と、を備え、前記絶縁部材は、前記蓋側絶縁部から前記電極組立体に向けて延出するとともに、前記積層方向の一端側から前記タブ群を覆い、前記タブ群と前記ケース本体とを絶縁するケース側絶縁部を有することを要旨とする。
【０００８】
これによれば、積層方向の一端側において、タブ群は、絶縁部材のケース側絶縁部によって覆われるため、ケース本体の内面と絶縁される。また、積層方向の他端側において、タブ群は、導電部材の第２板部によって覆われ、第２板部はケース本体と離間しているため、タブ群はケース本体の内面と接触しない。よって、ケース側絶縁部と第２板部とによってタブ群とケースとを絶縁できる。
【０００９】
また、上記蓄電装置について、前記蓋側絶縁部からの前記ケース側絶縁部の延出方向において、前記ケース側絶縁部の先端部は、前記電極組立体のタブ側端面と前記第３板部の下面との間に位置するのが好ましい。
【００１０】
これによれば、電極組立体が蓋側に移動しようとしても、ケース側絶縁部の先端部がタブ側端面と接触することで、蓋側への電極組立体の位置ずれを規制できる。
また、上記蓄電装置について、前記第１板部は、矩形板状であり、前記端子接合部は、前記第１板部の長手方向の一端部であり、前記蓋側絶縁部は、前記第１板部の長手方向の他端部と前記蓋との間に配置されるのが好ましい。
【００１１】
これによれば、第１板部の長手方向の一端部と蓋との絶縁に加えて、第１板部の長手方向の他端部と蓋との絶縁も確保できる。
また、上記蓄電装置について、前記ケース側絶縁部は、前記第１板部の長手方向全体と前記ケース本体との間に配置されるのが好ましい。
【００１２】
これによれば、タブ群とケース本体との絶縁に加えて、第１板部の長手方向全体とケース本体との絶縁も確保できる。また、電極組立体が蓋側に移動しようとした際に、ケース側絶縁部の先端部においてタブ側端面と接触する面積が大きくなるため、蓋側への電極組立体の位置ずれをより規制できる。
【発明の効果】
【００１３】
本発明によれば、タブ群とケースとを絶縁できる。
【図面の簡単な説明】
【００１４】
【図１】実施形態の二次電池の分解斜視図。
【図２】二次電池の断面図。
【図３】二次電池の断面図。
【図４】二次電池の製造方法を示す断面図。
【発明を実施するための形態】
【００１５】
以下、蓄電装置を二次電池に具体化した一実施形態を図１〜図４にしたがって説明する。
図１に示すように、蓄電装置としての二次電池１０は、ケース１１と、電極組立体１２と、図示しない電解液とを備える。電極組立体１２及び電解液は、ケース１１に収容される。ケース１１は、直方体状のケース本体１３と、ケース本体１３の開口部１３ａを閉塞する矩形平板状の蓋１４とを有する。ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４は、ケース１１の壁部の一面を構成している。蓋１４において、ケース１１の内側に臨む面を内面１４ａとし、ケース１１の外側に臨む面を外面１４ｂとする。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１６】
図２に示すように、電極組立体１２は、複数の矩形シート状の電極としての正極電極２１と、電極としての負極電極２２と、セパレータ２３とを備える。電極組立体１２は、正極電極２１と負極電極２２との間にセパレータ２３を介在させ、かつ相互に絶縁させた状態で積層した層状構造を備える。本実施形態では、正極電極２１及び負極電極２２の長手方向は、蓋１４の長手方向と一致する。また、正極電極２１と負極電極２２が積層される方向を積層方向とする。積層方向は、蓋１４の短手方向と一致する。
【００１７】
正極電極２１は、矩形シート状の正極金属箔（例えばアルミニウム箔）２４と、正極金属箔２４の両面に存在する正極活物質層２５とを有する。正極電極２１は、正極電極２１の一辺である長縁部２１ａの一部から突出したタブとしての正極タブ２６を有する。正極タブ２６は、正極活物質層２５が存在せず、正極金属箔２４そのもので構成されている。負極電極２２は、矩形シート状の負極金属箔（例えば銅箔）２７と、負極金属箔２７の両面に存在する負極活物質層２８とを有する。負極電極２２は、負極電極２２の一辺である長縁部２２ａの一部から突出したタブとしての負極タブ２９を有する。負極タブ２９は、負極活物質層２８が存在せず、負極金属箔２７そのもので構成されている。
【００１８】
各正極電極２１は、それぞれの正極タブ２６が積層方向に沿って列状に配置されるように積層される。同様に、各負極電極２２は、それぞれの負極タブ２９が積層方向に沿って列状に配置されるように積層される。電極組立体１２は、各正極タブ２６が積層されたタブ群としての正極タブ群１５（図１及び図３参照）と、各負極タブ２９が積層されたタブ群としての負極タブ群１６とを備える。電極組立体１２において、正極タブ群１５及び負極タブ群１６が存在する端面をタブ側端面１２ａとする。電極組立体１２は、タブ側端面１２ａを除く端面が絶縁シートＦによって覆われることで、ケース本体１３から絶縁される。
【００１９】
図２に示すように、正極タブ群１５及び負極タブ群１６は、基端側の部位が積層方向の一端側で寄せ集められるとともに積層方向の他端側に向けて屈曲された第１屈曲部１５ａと、第１屈曲部１５ａから積層方向に沿って延びる第１延在部１５ｂと、積層方向の他端側から一端側に向けて屈曲された第２屈曲部１５ｃと、第２屈曲部１５ｃから延びる第２延在部１５ｄを有する。第１延在部１５ｂは、電極組立体１２のタブ側端面１２ａと第２延在部１５ｄとの間に位置する。
【００２０】
図３に示すように、二次電池１０は、正極タブ群１５と、後述の正極端子構造１７の一部とを電気的に接続するための導電部材としての正極導電部材１９を備える。また、二次電池１０は、負極タブ群１６と、後述の負極端子構造１８の一部とを電気的に接続するための導電部材としての負極導電部材２０を備える。正極導電部材１９及び負極導電部材２０は、蓋１４の内面１４ａと電極組立体１２のタブ側端面１２ａとの間に配置される。
【００２１】
図２及び図３に示すように、正極導電部材１９及び負極導電部材２０はそれぞれ、矩形板状の第１〜第３板部６１〜６３を備える。各第１板部６１は、蓋１４の内面１４ａに沿って配置される。各第１板部６１の長手方向は、蓋１４の長手方向と一致し、各第１板部６１の短手方向は、積層方向と一致する。第１板部６１の長手方向の端部において、蓋１４の短縁部寄りの端部を一端部とし、蓋１４の長手方向の中央寄りの端部を他端部とする。正極導電部材１９は、第１板部６１の一端部に、後述の正極端子構造１７の一部が接合される端子接合部６１ａを備え、負極導電部材２０は、第１板部６１の長手方向の一端部に、後述の負極端子構造１８の一部が接合される端子接合部６１ａを備える。
【００２２】
図２に示すように、各第２板部６２は、各第１板部６１の一対の長縁部のうち、積層方向の他端側に位置する長縁部の一部から電極組立体１２に向けて延びる。各第１板部６１及び各第２板部６２を積層方向から見たとき、各第２板部６２は、第１板部６１の長手方向の他端部側に位置する。各第２板部６２の長手方向は、蓋１４の長手方向と一致する。正極導電部材１９の第２板部６２は、積層方向の他端側から正極タブ群１５の第２屈曲部１５ｃを覆い、負極導電部材２０の第２板部６２は、積層方向の他端側から負極タブ群１６の第２屈曲部１５ｃを覆う。これにより、正極タブ群１５及び負極タブ群１６は、ケース本体１３の内面と接触しない。また、各第２板部６２は、ケース本体１３の内面から離間している。これにより、第２板部６２とケース本体１３との絶縁が確保される。
【００２３】
各第３板部６３は、各第２板部６２の一対の長縁部のうち、電極組立体１２寄りの長縁部から積層方向の一端側に向けて延びる。図３に示すように、各第１板部６１及び第２板部６２を積層方向から見たとき、各第３板部６３は、第１板部６１の長手方向の他端部側に位置する。各第３板部６３の長手方向は、蓋１４の長手方向と一致し、各第３板部６３の短手方向は、積層方向と一致する。本実施形態では、正極導電部材１９の第３板部６３は、正極タブ群１５の第１延在部１５ｂが接合される電極接合部６３ａを兼ねる。また、負極導電部材２０の第３板部６３は、負極タブ群１６の第１延在部１５ｂが接合される電極接合部６３ａを兼ねる。
【００２４】
正極導電部材１９及び負極導電部材２０はそれぞれ、第１板部６１及び第３板部６３の長手方向から見たとき、Ｕ字状である。正極タブ群１５及び負極タブ群１６において、第１延在部１５ｂにおける第２屈曲部１５ｃ寄りの部分、第２屈曲部１５ｃ、及び第２延在部１５ｄは、第１〜第３板部６１〜６３によって囲まれた空間に収容される。
【００２５】
次に、正極端子構造１７及び負極端子構造１８について説明する。なお、正極端子構造１７と負極端子構造１８は基本的に同じ構成であるため、共通の部材については、同じ部材番号を使用して説明する。
【００２６】
図３に示すように、正極端子構造１７は、蓋１４の長手方向の一端側に配置され、負極端子構造１８は、蓋１４の長手方向の他端側に配置される。正極端子構造１７及び負極端子構造１８は、電極組立体１２と電気を授受する電極端子としての引出端子３１を備える。各引出端子３１は、平板状の基部３１ａと、基部３１ａから突出する軸部３１ｂとを有する。各引出端子３１の基部３１ａは、ケース１１の内部において各第１板部６１の端子接合部６１ａと電気的に接続されている。各引出端子３１の軸部３１ｂは、ケース１１を貫通するとともに、ケース１１の外部でかしめられている。正極端子構造１７及び負極端子構造１８は、ケース１１の外部で、引出端子３１と電気的に接続された端子接合部材３２と、端子接合部材３２と電気的に接続された外部接続端子３３とを備える。また、正極端子構造１７及び負極端子構造１８は、ケース１１の外部に配置される外側絶縁部材３４と、ケース１１の内部に配置される絶縁部材としての内側絶縁部材３５とを備える。引出端子３１は、外側絶縁部材３４及び内側絶縁部材３５を貫通する。外側絶縁部材３４は、引出端子３１及び外部接続端子３３と蓋１４とを絶縁する。
【００２７】
正極端子構造１７の内側絶縁部材３５は、正極導電部材１９の第１板部６１と蓋１４の内面１４ａとの間に配置される矩形板状の蓋側絶縁部３６を備える。負極端子構造１８の内側絶縁部材３５は、負極導電部材２０の第１板部６１と蓋１４の内面１４ａとの間に配置される矩形板状の蓋側絶縁部３６を備える。各蓋側絶縁部３６の長手方向は、蓋１４の長手方向と一致し、各蓋側絶縁部３６の短手方向は、積層方向と一致する。本実施形態では、各蓋側絶縁部３６の長手方向の寸法は、各第１板部６１の長手方向の寸法よりも僅かに長い。各蓋側絶縁部３６は、各第１板部６１の長手方向全体と蓋１４の内面１４ａとの間に配置される。各蓋側絶縁部３６の長手方向の端部のうち、蓋１４の短縁部寄りの端部を一端部とし、蓋１４の長手方向の中央寄りの端部を他端部とする。各蓋側絶縁部３６は、長手方向の一端部に、端子接合部６１ａである第１板部６１の長手方向の一端部と蓋１４の内面１４ａとの間に配置される第１絶縁部３６ａを備える。第１絶縁部３６ａは、端子接合部６１ａと蓋１４とを絶縁する。蓋側絶縁部３６は、長手方向の他端部に、第１板部６１の長手方向の他端部と蓋１４の内面１４ａとの間に配置される第２絶縁部３６ｂを備える。第２絶縁部３６ｂは、第１板部６１の長手方向の他端部と蓋１４とを絶縁する。
【００２８】
図２及び図３に示すように、各内側絶縁部材３５は、蓋１４の長手方向に沿う蓋側絶縁部３６の一対の長縁部のうち、積層方向の一端側に位置する長縁部から電極組立体１２に向けて延出する矩形板状の第１壁部３７を備える。各第１壁部３７の長手方向は、蓋１４の長手方向と一致する。本実施形態の各第１壁部３７の長手方向の寸法は、各第１板部６１の長手方向の寸法と同じである。よって、各第１壁部３７は、各第１板部６１の長手方向全体とケース本体１３との間に配置され、各第１板部６１とケース本体１３とを絶縁する。各第１壁部３７は、長手方向における第２絶縁部３６ｂ寄りの部分が積層方向の一端側から正極タブ群１５を覆うことで、正極タブ群１５とケース本体１３の長側壁１３ｃとを絶縁するケース側絶縁部である。また、蓋側絶縁部３６からの第１壁部３７の延出方向において、第１壁部３７の先端部３７ａは、電極組立体１２のタブ側端面１２ａと、第３板部６３の下面６３ｂとの間に位置する。
【００２９】
各内側絶縁部材３５は、蓋１４の長手方向に沿う蓋側絶縁部３６の一対の長縁部のうち、積層方向の他端側に位置する長縁部から電極組立体１２に向けて延出する矩形板状の第２壁部３８を備える。各第２壁部３８の長手方向は、蓋１４の長手方向と一致する。本実施形態の各第２壁部３８の長手方向の寸法は、各第１板部６１の長手方向の寸法よりも僅かに長い。蓋側絶縁部３６の短手方向において、第１壁部３７の内面と第２壁部３８の内面との距離は、正極導電部材１９の第１板部６１の短手方向の寸法よりも僅かに長い。また、各内側絶縁部材３５は、積層方向に沿う蓋側絶縁部３６の一対の短縁部のうち、蓋１４の長手方向の端側に位置する短縁部から電極組立体１２に向けて延出する第３壁部３９を備える。よって、第１〜第３壁部３７〜３９は、蓋側絶縁部３６の厚さ方向から見たとき、蓋１４の長手方向の中央に向けて開口するＵ字型である。
【００３０】
各内側絶縁部材３５は、蓋側絶縁部３６における蓋１４の内面１４ａと対向する面とは反対側の面と、第１〜第３壁部３７〜３９の内面とによって囲まれた収容部４０を備える。各第１板部６１は、収容部４０に収容されるとともに、第１壁部３７と第２壁部３８とによって積層方向に挟持されている。また、各第１板部６１は、蓋１４の長手方向の端側に移動しないように第３壁部３９によって位置決めされる。
【００３１】
次に、二次電池の製造方法について説明する。
図４に示すように、蓋１４に、引出端子３１、端子接合部材３２、外部接続端子３３、外側絶縁部材３４、及び内側絶縁部材３５を組付け、正極端子構造１７及び負極端子構造１８を製造する。正極導電部材１９及び負極導電部材２０はそれぞれ、内側絶縁部材３５に保持された第１板部６１と、第１板部６１の一対の長縁部のうち、積層方向の他端側に位置する長縁部の一部から電極組立体１２に向けて延出する平板状の板部前駆体６４とを有する。
【００３２】
次に、正極タブ群１５及び負極タブ群１６の先端部が第１板部６１側に位置するように、第１板部６１及び板部前駆体６４に沿って正極タブ群１５及び負極タブ群１６を重ねて配置する。これにより、正極タブ群１５及び負極タブ群１６に第２屈曲部１５ｃ及び第２延在部１５ｄが形成される。次に、板部前駆体６４の先端側部位と正極タブ群１５及び負極タブ群１６とをレーザ溶接して接合する。なお、板部前駆体６４の先端側部位の周辺には、図示しないレーザ溶接装置や溶接に用いられる治具（例えば、正極タブ２６や負極タブ２９を押圧する治具）が配置される。次に、各板部前駆体６４の先端側部位を積層方向の一端側に向けて折り曲げ、板部前駆体６４の先端側部位と電極組立体１２のタブ側端面１２ａとを対向させる。これにより、各板部前駆体６４の先端側部位は、電極接合部６３ａを有するとともに正極タブ群１５及び負極タブ群１６を電極組立体１２側から覆う第３板部６３となり、各板部前駆体６４の基端部は、正極タブ群１５及び負極タブ群１６を積層方向の一端側から覆う第２板部６２となる。また、正極タブ群１５及び負極タブ群１６には、第１屈曲部１５ａ及び第１延在部１５ｂが形成される。
【００３３】
そして、電極組立体１２をケース本体１３の開口部１３ａからケース本体１３内に挿入し、ケース本体１３と蓋１４と接合することで、二次電池１０が製造される。
次に、本実施形態の効果を作用とともに記載する。
【００３４】
（１）積層方向の一端側において、正極タブ群１５は、正極端子構造１７の内側絶縁部材３５の第１壁部３７によって覆われるため、ケース本体１３の長側壁１３ｃの内面と絶縁される。また、積層方向の他端側において、正極タブ群１５は、正極導電部材１９の第２板部６２によって覆われ、第２板部６２は、ケース本体１３と離間しているため、正極タブ群１５は、ケース本体１３の長側壁１３ｃの内面と接触しない。よって、内側絶縁部材３５の第１壁部３７と正極導電部材１９の第２板部６２により、正極タブ群１５とケース本体１３とを絶縁できる。
【００３５】
同様に、積層方向の一端側において、負極タブ群１６は、負極端子構造１８の内側絶縁部材３５の第１壁部３７によって覆われるため、ケース本体１３の長側壁１３ｃの内面と絶縁される。また、積層方向の他端側において、負極タブ群１６は、負極導電部材２０の第２板部６２によって覆われ、第２板部６２は、ケース本体１３と離間しているため、負極タブ群１６は、ケース本体１３の長側壁１３ｃの内面と接触しない。よって、内側絶縁部材３５の第１壁部３７と負極導電部材２０の第２板部６２により、負極タブ群１６とケース本体１３とを絶縁できる。
【００３６】
（２）蓋側絶縁部３６からの第１壁部３７の延出方向において、第１壁部３７の先端部３７ａは、電極組立体１２のタブ側端面１２ａと第３板部６３の下面６３ｂとの間に位置する。このため、電極組立体１２が蓋１４側に移動しようとしても、第１壁部３７の先端部３７ａが電極組立体１２のタブ側端面１２ａと接触することで、蓋１４側への電極組立体１２の位置ずれを規制できる。
【００３７】
（３）内側絶縁部材３５の蓋側絶縁部３６は、第１板部６１の長手方向全体とケース本体１３との間に配置されるため、第１板部６１の長手方向の一端部である端子接合部６１ａと蓋１４との絶縁に加えて、第１板部６１の長手方向の他端部と蓋１４との絶縁も確保できる。
【００３８】
（４）第１壁部３７は、第１板部６１の長手方向全体とケース本体１３の内面との間に配置される。このため、正極タブ群１５及び負極タブ群１６とケース本体１３との絶縁に加えて、第１板部６１の長手方向全体とケース本体１３との絶縁も確保できる。また、電極組立体１２が蓋１４側に移動しようとした際に、第１壁部３７の先端部３７ａにおいて電極組立体１２のタブ側端面１２ａと接触する面積が大きくなるため、蓋１４側への電極組立体１２の位置ずれをより規制できる。
【００３９】
（５）正極導電部材１９の板部前駆体６４に正極タブ群１５を接合した後で、板部前駆体６４を屈曲させて第２板部６２及び第３板部６３を形成した。よって、第１〜第３板部６１〜６３が形成された正極導電部材１９に正極タブ群１５を接合する場合と比較して、レーザ溶接装置や溶接に用いられる治具（例えば、正極タブ２６を押圧する治具）を配置するスペースを広く確保できる。
【００４０】
なお、上記実施形態は、以下のように変更してもよい。
○  正極電極２１において、正極活物質層２５は正極金属箔２４の片面に存在してもよい。同様に、負極電極２２において、負極活物質層２８は負極金属箔２７の片面に存在してもよい。
【００４１】
○  正極タブ群１５は、第２屈曲部１５ｃ及び第２延在部１５ｄを備えなくてもよい。同様に、負極タブ群１６は、第２屈曲部１５ｃ及び第２延在部１５ｄを備えなくてもよい。
【００４２】
○  正極端子構造１７及び負極端子構造１８の内側絶縁部材３５のうち、一方の極性の内側絶縁部材３５が第１壁部３７を備えていれば、他方の極性の内側絶縁部材３５は第１壁部３７を備えていなくてもよい。この場合、内側絶縁部材３５が第１壁部３７を備えていない方の極性については、例えば、ケース本体１３の内面に絶縁シートを貼着するなどして、タブ群とケース本体１３とを絶縁する。
【００４３】
○  内側絶縁部材３５の蓋側絶縁部３６において、第２絶縁部３６ｂを省略してもよい。この場合、第１板部６１の長手方向の他端部と蓋１４とは、例えば、十分な間隔を空けて配置されることで絶縁される。また、第１壁部３７において積層方向の一端側から正極タブ群１５又は負極タブ群１６を覆う部分は、蓋側絶縁部３６の第１絶縁部３６ａから電極組立体１２に向けて延出する部分を蓋１４の長手方向に延長することで構成される。
【００４４】
○  内側絶縁部材３５の第１壁部３７は、第１板部６１の長手方向全体とケース本体１３との間に配置されなくてもよい。すなわち、第１壁部３７によって正極タブ群１５又は負極タブ群１６とケース本体１３の内面とを絶縁できれば、第１板部６１の長手方向に沿う正極タブ群１５又は負極タブ群１６の幅に応じて、第１壁部３７の長手方向の寸法を変更してよい。
【００４５】
○  上記実施形態では、第３板部６３の長手方向の全体が電極接合部６３ａであったが、第３板部６３は、長手方向の一部に電極接合部６３ａを備える構成でもよい。
○  正極導電部材１９の板部前駆体６４と正極タブ群１５との接合方法、及び負極導電部材２０の板部前駆体６４と負極タブ群１６との接合方法は、レーザ溶接に限定されず、例えば、抵抗溶接や超音波溶接でもよい。
【００４６】
○  正極導電部材１９の第１〜第３板部６１〜６３を形成した後で、正極タブ群１５を接合してもよい。同様に、負極導電部材２０の第１〜第３板部６１〜６３を形成した後で、負極タブ群１６を接合してもよい。
【００４７】
○  蓄電装置は、例えばキャパシタなど、二次電池以外の蓄電装置にも適用可能である。
○  二次電池１０は、リチウムイオン二次電池以外の他の二次電池であってもよい。要は、正極用の活物質と負極用の活物質との間をイオンが移動するとともに電荷の教授を行うものであればよい。
【符号の説明】
【００４８】
１０…蓄電装置としての二次電池、１１…ケース、１２…電極組立体、１２ａ…タブ側端面、１３…ケース本体、１３ａ…開口部、１４…蓋、１４ａ…内面、１５…タブ群としての正極タブ群、１６…タブ群としての負極タブ群、１９…導電部材としての正極導電部材、２０…導電部材としての負極導電部材、２１…電極としての正極電極、２２…電極としての負極電極、２６…タブとしての正極タブ、２９…タブとしての負極タブ、３１…電極端子としての引出端子、３５…絶縁部材としての内側絶縁部材、３６…蓋側絶縁部、３７…ケース側絶縁部としての第１壁部、６１…第１板部、６１ａ…端子接合部、６２…第２板部、６３…第３板部、６３ａ…電極接合部、６３ｂ…下面。
【図１】
2019175689.tif 000003
【図２】
2019175689.tif 000004
【図３】
2019175689.tif 000005
【図４】
2019175689.tif 000006